(57)【特許請求の範囲】
【請求項１】
玄関等戸外に設置される玄関子機と、住戸内に設置される居室親機とを有し、前記玄関子機は居住者を呼び出して通話するための呼出手段及び通話手段を備えると共に、前記居室親機は前記呼び出しに応答するための通話手段を備えたインターホンシステムにおいて、
ＷＥＢカメラと、前記ＷＥＢカメラの撮像映像データを蓄積するカメラサーバとを具備して、前記玄関子機及び前記居室親機は、通信ネットワークを介して互いに接続されると共に前記ＷＥＢカメラ及び前記カメラサーバと接続され、
呼出操作を受けた前記玄関子機は、前記居室親機に呼出信号を送出するのに加えて前記カメラサーバ及び前記ＷＥＢカメラを起動する起動信号を送出する信号送信部と、起動信号に続いて前記玄関子機の前記通話手段が収音した音を前記カメラサーバに送信する音声送信部とを備え、
前記カメラサーバは、前記起動信号を受けて前記ＷＥＢカメラの撮像映像を記録すると共に、前記玄関子機で収音した音声を記録する記録部及び記録制御部を備えたことを特徴とするインターホンシステム。
【請求項２】
前記玄関子機は、訪問者を撮像するための子機カメラを備え、前記信号送信部は、前記起動信号に引き続き前記子機カメラの撮像映像を前記カメラサーバに送出し、前記カメラサーバの記録制御部は、受信した前記子機カメラの撮像映像を前記記録部に記録することを特徴とする請求項１記載のインターホンシステム。
【請求項３】
前記居室親機は、映像を表示する表示部と、音声を報音する報音部と、前記カメラサーバが記録した映像を前記表示部に表示させると共に、前記カメラサーバが記録した音声を前記報音部で報音させる再生制御部及び再生操作部とを有することを特徴とする請求項１又は２記載のインターホンシステム。
【請求項４】
前記記録制御部は、記録する映像データと音声データのタイムスタンプの整合を図って記録することを特徴とする請求項１乃至３の何れかに記載のインターホンシステム。
【請求項５】
前記玄関子機は、人物の接近を感知する人感センサを備え、前記人感センサが感知動作したら、前記呼出通知部が前記起動信号を送出することを特徴とする請求項１乃至４の何れかに記載のインターホンシステム。
【発明の詳細な説明】
【技術分野】
【０００１】
本発明は、１台の居室親機に対して玄関子機等の子機が複数接続されたインターホンシステムに関し、特に子機としてＷＥＢカメラを備えたインターホンシステムに関する。
【背景技術】
【０００２】
従来より、１台の居室親機に対して玄関子機等の子機が複数接続されたインターホンシステムがある。例えば、特許文献１は集合住宅インターホンシステムであり、居室親機には住戸玄関に設置された玄関子機に加えて、集合玄関に設置された集合玄関機や管理室に設置された管理室親機等が接続されている。また、特許文献２ではドアホン子機に加えてＷＥＢカメラが接続されている。
このような複数の子機が接続されたシステムでは、居室親機から複数の子機に対して同時に通信が可能であったり、通話或いは通信する子機を選択できるよう構成されており、特許文献１では居室親機が玄関子機と通話中となっている時に管理室親機から呼び出しが成されたら、メッセージを録音でき、通話終了後にメッセージを再生することで、通話することなく内容を認識できた。また、特許文献２では、ＷＥＢカメラの撮像映像も居室親機の選択操作により居室親機のモニタに表示できた。
【先行技術文献】
【特許文献】
【０００３】
【特許文献１】特開２００７−２０８５０４号公報
【特許文献２】特開２００４−１３５１９９号公報
【発明の概要】
【発明が解決しようとする課題】
【０００４】
しかしながら、上記特許文献１インターホンシステムは、子機と通話中の居室親機は、同時に他の子機と接続して音声を録音することはできたが映像を録画することはできなかった。また、特許文献２のインターホンはドアホン子機を選択するようにＷＥＢカメラを選択して、その撮像映像をモニタに表示させることはできたが、ドアホン子機の映像を表示している状態で、他のカメラの映像を録画したり見ることはできなかった。
しかし、特定の子機と通話状態或いは通信状態にあっても、防犯上の観点から他の子機カメラの撮像映像や音声を同時に確認できるようにしたいとする要望があり、そのような要求を満たすには居室親機を高機能化すれば可能であるがコスト高となる問題があった。
【０００５】
そこで、本発明はこのような問題点を解消するためになされたもので、玄関子機に加えてＷＥＢカメラを接続した構成において、居室親機が玄関子機と通話中であっても、居室親機の機能を拡張することなくＷＥＢカメラの映像や音声を平行して記録できるインターホンシステムを提供することを目的としている。
【課題を解決するための手段】
【０００６】
上記課題を解決する為に、請求項１の発明は、玄関等住戸外に設置される玄関子機と、住戸内に設置される居室親機とを有し、玄関子機は居住者を呼び出して通話するための呼出手段及び通話手段を備えると共に、居室親機は呼び出しに応答するための通話手段を備えたインターホンシステムにおいて、ＷＥＢカメラと、ＷＥＢカメラの撮像映像データを蓄積するカメラサーバとを具備して、玄関子機及び居室親機は、通信ネットワークを介して互いに接続されると共にＷＥＢカメラ及びカメラサーバと接続され、呼出操作を受けた玄関子機は、居室親機に呼出信号を送出するのに加えてカメラサーバ及びＷＥＢカメラを起動する起動信号を送出する信号送信部と、起動信号に続いて玄関子機の通話手段が収音した音をカメラサーバに送信する音声送信部とを備え、カメラサーバは、起動信号を受けてＷＥＢカメラの撮像映像を記録すると共に、玄関子機で収音した音声を記録する記録部及び記録制御部を備えたことを特徴とする。
この構成によれば、玄関子機からの呼出操作を受けて、ＷＥＢカメラが撮像した映像と玄関子機で収音した音声とがカメラサーバに記録される。
よって、居室親機を介さず録画及び録音を実施するので、居室親機にＷＥＢカメラと通信して録画する機能を設ける必要がなく、居室親機のコストアップを防止できる。加えて、居室親機の応答操作の有無に関わらず録画及び録音を行うので、利便性及び防犯性を向上できる。
【０００７】
請求項２の発明は、請求項１に記載の構成において、玄関子機は、訪問者を撮像するための子機カメラを備え、信号送信部は、起動信号に引き続き子機カメラの撮像映像をカメラサーバに送出し、カメラサーバの記録制御部は、受信した子機カメラの撮像映像を記録部に記録することを特徴とする。
この構成によれば、玄関子機が撮像した映像もカメラサーバに録画される。よって、カメラサーバの記録を再生すれば訪問者の顔を確認することができ、不在時の訪問者を確認できる。また、応答した訪問者の記録も残るため、利便性及び防犯性を向上できる。
【０００８】
請求項３の発明は、請求項１又は２に記載の構成において、居室親機は、映像を表示する表示部と、音声を報音する報音部と、カメラサーバが記録した映像を表示部に表示させると共に、カメラサーバが記録した音声を報音部で報音させる再生制御部及び再生操作部とを有することを特徴とする。
この構成によれば、居室親機の操作でカメラサーバに記録された映像及び音声を、居室親機において確認することができるので、カメラサーバを直接操作することなく記録された映像や音声を確認でき、利便性がよい。
【０００９】
請求項４の発明は、請求項１乃至３の何れかに記載の構成において、記録制御部は、記録する映像データと音声データのタイムスタンプの整合を図って記録することを特徴とする。
この構成によれば、ＷＥＢカメラの撮像映像と玄関子機の収音音声とが、時間ズレが発生しないよう記録される。よって、撮像機器と収音機器が異なる機器であっても、記録した映像と音声を一致させて再生でき、再生した際に違和感が生ずるようなことがない。
【００１０】
請求項５の発明は、請求項１乃至４の何れかに記載の構成において、玄関子機は、人物の接近を感知する人感センサを備え、人感センサが感知動作したら、呼出通知部が起動信号を送出することを特徴とする。
この構成によれば、人感センサが感知動作した場合も、ＷＥＢカメラの映像を録画し、玄関子機が収音した音声を録音するので、呼出ボタンを押さない不審者等の映像を音声と合わせて記録でき防犯機能が向上する。
【発明の効果】
【００１１】
本発明によれば、玄関子機からの呼出操作を受けて、ＷＥＢカメラが撮像した映像と玄関子機で収音した音声とがカメラサーバに記録される。そのため、居室親機を介さず録画及び録音を実施でき、居室親機にＷＥＢカメラと通信して録画する機能を設ける必要がなく、居室親機のコストアップを防止できる。加えて、居室親機の応答操作の有無に関わらず録画及び録音を行うので、利便性及び防犯性を向上できる。
【図面の簡単な説明】
【００１２】
【図１】本発明に係るインターホンシステムの一例を示す構成図である。
【図２】玄関子機の回路ブロック図である。
【図３】居室親機の回路ブロック図である。
【図４】カメラサーバの回路ブロック図である。
【発明を実施するための形態】
【００１３】
以下、本発明を具体化した実施の形態を、図面に基づいて詳細に説明する。図１は、本発明に係るインターホンシステムの一例を示すシステム構成図であり、玄関等戸外に設置される玄関子機１、住戸内に設置される居室親機２、戸外に設置されるＷＥＢカメラ３、映像データや音声データを蓄積するカメラサーバ４を備え、これらの機器はＨＵＢ５を介したＬＡＮにより接続されている。
【００１４】
玄関子機１は図２に示すように構成されている。図２は玄関子機１の回路ブロック図であり、居住者を呼び出すための呼出ボタン１１、訪問者を撮像するためのカメラ１２、居住者と通話するためのマイク及びスピーカを備えた通話部１３、人物の接近を感知する人感センサ１４、ＬＡＮを介してＴＣＰ／ＩＰ等の汎用ネットワークプロトコルにより居室親機２等と通信するための子機通信インターフェース（子機通信ＩＦ）１５等を備えている。
【００１５】
居室親機２は図３に示すように構成されている。図３は居室親機２の回路ブロック図であり、呼び出しに応答するための通話ボタン２１、訪問者と通話するためのマイク及びスピーカを備えた通話部２２、玄関子機１のカメラ１２が撮像した映像を表示するためのモニタ２３、伝送された映像データをモニタ２３に表示するために映像処理する映像処理部２４、各種操作を行うための操作部２５、居室親機を制御する親機ＣＰＵ２６、ＬＡＮを介して玄関子機１等と通信するための親機通信インターフェース（親機通信ＩＦ）２７等を備えている。
【００１６】
カメラサーバ４は図４に示すように構成されている。図４はカメラサーバ４の回路ブロック図であり、映像データ及び音声データを記録する記録部４１、記録する映像及び再生する映像のデータ処理を行う映像処理部４２、記録する音声及び再生する音声のデータ処理を行う音声処理部４３、カメラサーバ４を制御するサーバＣＰＵ４４、ＬＡＮを介してＴＣＰ／ＩＰ等の汎用ネットワークプロトコルによりＷＥＢカメラ３等と通信するためのサーバ通信インターフェース（サーバ通信ＩＦ）４５等を備えている。
【００１７】
玄関子機１、ＷＥＢカメラ３、カメラサーバ４は、それぞれＮＴＰ等の時刻合わせ機能を有し、カメラサーバ４が記録する際、音声と映像のタイムスタンプの整合を図って記録される。
【００１８】
このように構成されたインターホンシステムは次のように動作する。訪問者が玄関子機１の呼出ボタン１１を操作して呼出操作を行なうと、子機通信ＩＦ１５からＨＵＢ５を介して居室親機２に呼出信号が送信されると共に、ＷＥＢカメラ３とカメラサーバ４に対して起動信号が送信される。
また、呼出操作を受けた玄関子機１は、カメラ１２と通話部１３の図示しないマイクが起動し、カメラ１２が撮像を開始して映像を出力すると共に、マイクが収音した音（音声）を出力する。こうして出力された映像データ及び音声データは、子機通信ＩＦ１５がタイムスタンプを付加して、居室親機２及びカメラサーバ４に対して送信する。
【００１９】
呼出信号を受けた居室親機２は、親機ＣＰＵ２６の制御により通話部２２の図示しないスピーカから呼出音を報音し、受信した映像データをモニタ２３に表示する。この呼出音を受けて、居住者により居室親機２の通話ボタン２１が操作されると、居室親機２と玄関子機１との間で通話路が形成され、居住者はモニタ２３に表示された映像で訪問者を確認しながら訪問者と通話を実施できる。
【００２０】
一方、起動信号を受信したＷＥＢカメラ３は撮像を開始し、タイムスタンプを付加した映像データをカメラサーバ４に対して送信する。また、起動信号を受信したカメラサーバ４は、サーバＣＰＵ４４の制御により玄関子機１から伝送された映像データ及び音声データと、ＷＥＢカメラ３から伝送された映像信号とをタイムスタンプとともに受信し、それぞれのタイムスタンプが一致するように音声データと映像データとを一体化して記録部４１に記録する。こうして、カメラサーバ４の記録動作は、居室親機２の応答操作の有無に関係なく行われ、予め設定した一定時間が経過したら記録動作を終了する。
【００２１】
尚、「一体化」とは、音声データ及び映像データを一体として１つのファイル（記録部）に記録するのみでなく、受信したファイルのシーケンス番号等とタイムスタンプを比較して、再生時にそれぞれの音声信号及び映像信号がずれないようにインデックスファイルを作成する等の複数のファイルに記録する方法も含むものである。
また、ＷＥＢカメラ３を複数備えている場合は、玄関子機１から全てのＷＥＢカメラ３に対して起動信号を送信することで、同様にカメラサーバ４において個々のＷＥＢカメラの撮像映像を録画することが可能である。
【００２２】
こうして記録した音声データ及び映像データの再生操作は、居室親機２の操作で行われる。具体的に、居室親機２の操作部２５が所定の再生操作されると、居室親機２からカメラサーバ４に対して再生要求信号が送出される。この再生要求信号を受信したカメラサーバ４は、サーバＣＰＵ４４が記録部４１に記録した映像データ（操作部２５で選択された一方の映像データ）及び音声データをタイムスタンプと共に取り出して、居室親機２へ送信する。
この映像データ及び音声データを入手した居室親機２は、親機ＣＰＵ２６の制御でモニタ２３に映像が表示され、通話部２２のスピーカから音声が報音される。このとき、親機ＣＰＵ２６は、映像と音声のタイムスタンプを一致させて再生制御する。
【００２３】
一方、人感センサ１４が感知動作した場合は次のように動作する。人感センサ１４は不審者を検知する為に設けられ、タイマーを内蔵して一定時間に亘り人物の接近を検知し続けたら感知信号を出力する。感知信号が出力されたら、上記呼出操作を受けた場合と同様に子機通信ＩＦ１５からＷＥＢカメラ３、及びカメラサーバ４に対して起動信号が送出される。また通話部１３のマイクが起動して収音した音声がカメラサーバ４に送信される。
【００２４】
起動信号を受けたＷＥＢカメラ３は、撮像を開始してその映像データをカメラサーバ４に送信する。そして、起動信号を受けたカメラサーバ４は、ＷＥＢカメラ３が撮像した映像データと、玄関子機１から送信された音声データとをタイムスタンプが一致するように一体化して記録部４１に記録する。但し、呼出ボタン１１の操作等でカメラサーバ４が既に記録を行っている場合は、新たな起動信号が送信されてもその信号は無視される。
【００２５】
このように、玄関子機１からの呼出操作を受けて、ＷＥＢカメラ３が撮像した映像と玄関子機１で収音した音声とがカメラサーバ４に記録される。よって、居室親機２を介さず録画及び録音を実施するので、居室親機２にＷＥＢカメラ３と通信して録画する機能を設ける必要がなく、居室親機２のコストアップを防止できる。加えて、居室親機２の応答操作の有無に関わらず録画及び録音を行うので、利便性及び防犯性を向上できる。
また、玄関子機１が撮像した映像もカメラサーバ４に録画されるので、カメラサーバ４の記録を再生すれば訪問者の顔を確認することができ、不在時の訪問者を確認できる。そして、応答した訪問者の記録も残るため、利便性及び防犯性を向上できる。
更に、居室親機２の操作でカメラサーバ４に記録された映像及び音声を、居室親機２において確認することができるので、カメラサーバ４を直接操作することなく、記録された映像や音声を確認でき、利便性がよい。
また、ＷＥＢカメラ３の撮像映像と玄関子機１の収音音声とが、時間ズレが発生しないよう記録されるため、撮像機器と収音機器が異なっても、記録した映像と音声は一致させて再生でき、再生した際に違和感が生ずるようなことがない。
また、人感センサ１４が感知動作した場合も、ＷＥＢカメラ３の映像を録画し、玄関子機１が収音した音声を録音するので、呼出ボタン１１を押さない不審者等の映像を音声と合わせて記録でき防犯機能が向上する。
【００２６】
尚、上記実施形態では、同一の建物の内外に機器を配置しているが、これに限らず、例えばカメラサーバ４を遠隔地のデータセンターやプロバイダー内のサーバに設置することもできるし、カメラサーバ４の受信機能及び合成機能のみを室内に設置し、保管のためのストレージ部（記録部）のみをデータセンターやプロバイダー内のサーバに設置することもできる。さらには、ＷＥＢカメラ３とカメラサーバ４を別体としていたが、これらを一体としても良い。
また、カメラサーバ４自体にモニタ及びスピーカを設けて、記録した映像及び音声を再生できるよう構成しても良い。この場合、居室親機２にカメラサーバ４と通信する機能が無くても、記録映像や音声を再生して確認することが可能となる。
更に、それぞれの機器を有線接続しているが、無線ＬＡＮ等の無線接続としても良い。
【符号の説明】
【００２７】
１・・玄関子機、２・・居室親機、３・・ＷＥＢカメラ、４・・カメラサーバ、１１・・呼出ボタン（呼出手段）、１２・・カメラ、１３・・通話部（通話手段）、１４・・人感センサ、１５・・子機通信ＩＦ（信号送信部、音声送信部）、２２・・通話部（報音部）、２３・・モニタ（表示部）、２５・・操作部（再生操作部）、２６・・親機ＣＰＵ（再生制御部）、４１・・記録部、４４・・サーバＣＰＵ（記録制御部）。
【図１】
0005530272.tif 000002
【図２】
0005530272.tif 000003
【図３】
0005530272.tif 000004
【図４】
0005530272.tif 000005